(57)【要約】本発明は、壁体構造物に関する。より詳しくは、壁体の支持台を形成するための構造物であって、複数の鉄線が垂直と水平とに形成されて格子状の金網部を形成し、対応する位置に同じ金網部が形成され、トラス方式の鉄線トラスを直角に位置させて、固定鉄線により接合手段なしで組み立てることによって、壁体構造物が形成される。壁体構造物が側面又は上部に延長されるときには、鉄網部継ぎピンを用いて、壁体構造物の間が結合される。
2019525036.tif 000002
【特許請求の範囲】
【請求項１】
壁体を形成するための壁体構造物１０であって、
複数の第１水平鉄線１１１が一対からなり且つ一対からなる前記複数の第１水平鉄線１１１が垂直方向に一定の間隔をもって複数形成される第１水平鉄線部１１０と、複数の第１垂直鉄線１２１が一対からなり且つ一対からなる前記複数の第１垂直鉄線１２１が前記第１水平鉄線部１１０に対して水平方向に一定の間隔をもって複数形成される第１垂直鉄線部１２０とを、含む第１金網部１００と、
前記第１水平鉄線部１１０に対応する位置に形成され、複数の第２水平鉄線２１１が一対からなり、且つ一対からなる前記複数の第２水平鉄線２１１が垂直方向に一定の間隔をもって複数形成される第２水平鉄線部２１０と、前記第１垂直鉄線部１２０に対応する位置に形成され、複数の第２垂直鉄線２２１が一対からなり、且つ一対からなる前記複数の第２垂直鉄線２２１が前記第２水平鉄線部２１０に対して水平方向に一定の間隔をもって複数形成される第２垂直鉄線部２２０とを、含む第２金網部２００と、
ジグザグ状に形成され、複数の曲げ結束部３１０を有するように形成され、壁体構造物の構造的な強度調整のために曲げ結束部３１０の曲げ角度が調整されるように形成され、第１水平鉄線部１１０と第１垂直鉄線部１２０とが交差する位置に形成された格子状の溝と、第２水平鉄線部２１０と第２垂直鉄線部２２０が交差する位置に形成された格子状の溝とに、前記曲げ結束部３１０が挿入される複数の鉄線トラス３００と、
前記複数の鉄線トラス３００が、第１水平鉄線部１１０と第１垂直鉄線部１２０とが交差する位置に形成された格子状の溝と、第２水平鉄線部２１０と第２垂直鉄線部２２０とが交差する位置に形成された格子状の溝とに挿入される時に形成される固定結束溝３２０を、貫通して挿入されるように形成される複数の固定鉄線４００とを、備えることを特徴とし、
前記複数の曲げ結束部３１０のいずれか１つの曲げ結束部３１０と他の曲げ結束部３１０とが形成する幅によって、壁体構造物の幅が決定されることを特徴とする壁体構造物。
【請求項２】
前記第１金網部１００は、前記第１水平鉄線部１１０と第１垂直鉄線部１２０とが交差する位置で、第１水平鉄線部１１０と第１垂直鉄線部１２０とが互いに溶接接合され、
前記第２金網部２００は、前記第２水平鉄線部２１０と第２垂直鉄線部２２０とが交差する位置で第２水平鉄線部２１０と第２垂直鉄線部２２０とが互いに溶接接合されることを特徴とする、請求項１に記載の壁体構造物。
【請求項３】
前記壁体構造物１０は、前記第１金網部１００と第２金網部２００とが鉄線トラス３００と固定鉄線４００によって互いに固定されることを特徴とする、請求項１に記載の壁体構造物。
【請求項４】
前記壁体構造物１０は、鉄網部継ぎピン５００をさらに備え、
前記鉄網部継ぎピン５００は、前記壁体構造物１０が上部に積層されたり側部に延長されたりする時に前記壁体構造物１０の間の連結固定のために、形成されることを特徴とする、請求項１に記載の壁体構造物。
【請求項５】
前記複数の固定鉄線４００のそれぞれは、水平方向に複数形成される固定結束溝３２０に１つの長い固定鉄線４００の形態で貫通挿入されたり、複数の固定結束溝３２０のそれぞれに複数の短い固定鉄線４００の形態で貫通挿入されたりすることを特徴とする、請求項１に記載の壁体構造物。
【発明の詳細な説明】
【技術分野】
【０００１】
本発明は、壁体構造物に関する。より詳しくは、本発明は、壁体の支持台を形成するための構造物であって、複数の鉄線が垂直と水平に形成することによって格子状の金網部を形成し、対応する位置に同じ金網部を形成し、トラス方式の鉄線トラスを直角に位置させ、固定鉄線によって接合手段なしに組み立てることによって形成される壁体構造物に関する。また、本発明は、壁体構造物を側面又は上部に延長する時に、継ぎピンを介した結合により形成される壁体構造物に、関する。
【背景技術】
【０００２】
一般的に、建築物は、ブロックやコンクリートモルタルを用いた方式によって、施工されている。
【０００３】
前記建築物の場合、一度施工すると施工位置で移動することができず、再建築時に建築物の全体を崩壊させてから再び建築するという問題があった。
【０００４】
近年、各モジュールを生成して組み立てる様々な組立型建築物が施工されており、セメントの代わりに黄土を用いて黄土壁体を施工することで、セメントのような環境における有害物質を脱離するのみならず、情緒的に安定した生活を営むことができ、抜群の吸着力により臭いを除去し、優れた抗菌性でかびなどの細菌の繁殖を抑制して住居環境を快適にする生活空間が、提供されている。
【０００５】
また、黄土からなる家屋では、パネルヒーティングによる熱伝達の効果により部屋全体の温度が均一であり、夏にはすがすがしく、冬季には暖かい。このように、黄土は優れた蓄熱の効果を有し、黄土房の施工は、セメントやオンドルに比べて相当なエネルギーが節減され、暖房の省エネの効果がある。
【０００６】
しかし、黄土を用いた建築物では、黄土そのものの物性によって、黄土は単に仕上げ材としてのみ用いられ、黄土を用いて複数層の構造物を築造できないという問題がある。
【０００７】
現在の黄土だけで建築に利用することは亀裂、強度の面において問題があり、住宅、アパート、別荘、病院などの床材や仕上げの美装用のみに使用されているというのが、実状である。
【０００８】
先行技術として提案された黄土構造物の場合では、壁体間の結合により黄土が収容され得る溝を形成し、壁体間の固定手段によって固定することで壁体構造物を形成する方式が使用されている。
【０００９】
前記黄土を用いた壁体構造物を生成するために、本発明では、トラス方式により形成される金網を用いて内部に黄土を収容させ、黄土壁体を形成し得る壁体構造物を、提案している。
【発明の概要】
【発明が解決しようとする課題】
【００１０】
前述した問題を解決するための本発明では、壁体を形成するための構造物として、複数の鉄線が垂直と水平とに形成され、格子状に溶接接合された金網部が形成され、対応する位置に他の金網部が形成され、前記金網部の間のトラス方式の鉄線トラスが金網部に連結され固定鉄線によって固定されることで、接合手段なしに壁構造物の組立てを可能にし、壁構造物の施工を容易にすることを、目的とする。
【００１１】
また、壁構造物の側面延長又は上部延長を支持部材なしで継ぎピンを用いて延長結合できることを、目的とする。
【００１２】
また、壁構造物を結合連結するとき、鉄線トラスが垂直方向又は垂直方向に固定連結できるようにすることで、現場施工に適する方法に基づいて施工を容易にすることを、目的とする。
【００１３】
また、鉄線トラスは、金網部の間で変形可能にすることで、施工条件に応じて調整できるようにすることを目的とする。
【課題を解決するための手段】
【００１４】
前述した目的を達成するための本発明である壁体を形成するための壁体構造物１０は、複数の第１水平鉄線１１１が一対からなり、一対からなる前記複数の第１水平鉄線１１１が垂直方向に一定の間隔をもって複数形成される第１水平鉄線部１１０と、複数の第１垂直鉄線１２１が一対からなり、一対からなる前記複数の第１垂直鉄線１２１が前記第１水平鉄線部１１０に対して水平方向に一定の間隔をもって複数形成される第１垂直鉄線部１２０を含む第１金網部１００と、前記第１水平鉄線部１１０に対応する位置に形成され、複数の第２水平鉄線２１１が一対からなり、一対からなる前記複数の第２水平鉄線２１１が垂直方向に一定の間隔をもって複数形成される第２水平鉄線部２１０と、前記第１垂直鉄線部１２０に対応する位置に形成され、複数の第２垂直鉄線２２１が一対からなり、一対からなる前記複数の第２垂直鉄線２２１が前記第２水平鉄線部２１０に対して水平方向に一定の間隔をもって複数形成される第２垂直鉄線部２２０を含む第２金網部２００と、ジグザグ状に形成され、複数の曲げ結束部３１０を有するように形成され、第１水平鉄線部１１０と第１垂直鉄線部１２０が交差する位置に形成された格子状の溝と、第２水平鉄線部２１０と第２垂直鉄線部２２０が交差する位置に形成された格子状の溝に前記曲げ結束部３１０が挿入される複数の鉄線トラス３００と、前記複数の鉄線トラス３００が第１水平鉄線部１１０と第１垂直鉄線部１２０が交差する位置に形成された格子状の溝と、第２水平鉄線部２１０と第２垂直鉄線部２２０が交差する位置に形成された格子状の溝に挿入時に形成される固定結束溝３２０を貫通して挿入されるように形成される複数の固定鉄線４００を含むことを特徴とする。
【発明の効果】
【００１５】
本発明によれば、格子状に形成される第１金網部と第２金網部との間にトラス方式の鉄線トラスが結合され、固定鉄線によって固定されることで接合手段なしに組立てを可能にすることから、施工が容易な効果を提供する。
【００１６】
また、壁体構造物間の継ぎピンを介して側面又は上部側に延長又はコーナー延長を可能にすることで、様々に壁体構造物を延長させ得る効果を提供する。
【００１７】
また、金網と金網との間に形成される鉄線トラスが左右側に流動可能にすることで、建築施工の条件に応じて容易に鉄線トラスの結合位置を調整できる効果を提供する。
【図面の簡単な説明】
【００１８】
【図１】本発明の壁体構造物に対する斜視図である。
【図２】本発明の壁体構造物に対する鉄線トラスの斜視図である。
【図３】本発明の壁体構造物に対する分解図である。
【図４】本発明の壁体構造物に対する部分拡大図である。
【図５】本発明の壁体構造物に対する更なる実施形態の斜視図である。
【図６】本発明の壁体構造物に対する更なる実施形態の分解図である。
【図７】本発明の壁体構造物に対する連結構造の状態図である。
【発明を実施するための形態】
【００１９】
以下、添付する図面を参照しながら本発明の実施形態を詳細に説明する。
【００２０】
図１〜図４に示すように、本発明の一実施形態にかかる、壁体を形成するための壁体構造物１０は、
複数の第１水平鉄線１１１が一対からなり且つ一対からなる前記複数の第１水平鉄線１１１が垂直方向に一定の間隔をもって複数形成される第１水平鉄線部１１０と、複数の第１垂直鉄線１２１が一対からなり且つ一対からなる前記複数の第１垂直鉄線１２１が前記第１水平鉄線部１１０に対して水平方向に一定の間隔をもって複数形成される第１垂直鉄線部１２０とを含む第１金網部１００と、
前記第１水平鉄線部１１０に対応する位置に形成され、複数の第２水平鉄線２１１が一対からなり、且つ一対からなる前記複数の第２水平鉄線２１１が垂直方向に一定の間隔をもって複数形成される第２水平鉄線２１０と、前記第１垂直鉄線部１２０に対応する位置に形成され、複数の第２垂直鉄線２２１が一対からなり、且つ一対からなる前記複数の第２垂直鉄線２２１が前記第２水平鉄線２１０に対して水平方向に一定の間隔をもって複数形成される第２垂直鉄線部２２０とを含む第２金網部２００と、
ジグザグ状に形成され、複数の曲げ結束部３１０を有するように形成され、第１水平鉄線部１１０と第１垂直鉄線部１２０とが交差する位置に形成された格子状の溝と、第２水平鉄線２１０と第２垂直鉄線部２２０とが交差する位置に形成された格子状の溝とに前記曲げ結束部３１０が挿入される複数の鉄線トラス３００と、
前記複数の鉄線トラス３００が、第１水平鉄線部１１０と第１垂直鉄線部１２０とが交差する位置に形成される格子状の溝と、第２水平鉄線２１０と第２垂直鉄線部２２０とが交差する位置に形成された格子状の溝とに挿入される時に形成される固定結束溝３２０を貫通して挿入されるように形成される複数の固定鉄線４００とを、備えることを特徴とする。
【００２１】
前記第１水平鉄線部１１０は、複数の第１水平鉄線１１１が垂直に一対に形成される鉄線部であり、第１垂直鉄線部１２０と結合して格子状の第１金網部１００を形成し、垂直方向に複数形成されることを、特徴とする。
【００２２】
前記第１水平鉄線部１１０は、垂直方向に一定の間隔で複数形成され、前記一定の間隔は、施工条件又は作業者の選択に応じて調整され得ることを、特徴とする。
【００２３】
前記第１垂直鉄線部１２０は、複数の第１水平鉄線部１１０に対して直角に形成され、複数の第１垂直鉄線１２１が水平に一対に形成される鉄線部であり、第１水平鉄線部１１０と結合して格子状の第１金網部１００を形成し、第１水平鉄線部１１０に対して水平方向に複数形成されることを、特徴とする。
【００２４】
前記第１垂直鉄線部１２０は、水平方向に一定の間隔で複数形成され、前記一定の間隔は、施工条件又は作業者の選択に応じて複数の第１水平鉄線部１１０と同じ間隔に調整され得ることを、特徴とする。
【００２５】
前記第１水平鉄線部１１０と第１垂直鉄線部１２０とは、一定の間隔に調整された格子状に互いに結合されることを、特徴とする。前記第１水平鉄線部１１０と第１垂直鉄線部１２０とは、溶接接合を介して連結されて、第１金網部１００を形成することを、特徴とする。
【００２６】
前記第２水平鉄線部２１０は、第１水平鉄線部１１０に対応する位置に形成され、複数の第２水平鉄線２１１で一対に形成される鉄線部であり、第２垂直鉄線部２２０と結合して格子状の第２金網部２００を形成し、垂直方向に複数形成されることを、特徴とする。
【００２７】
前記第２水平鉄線２１０は、垂直方向に一定の間隔で複数形成され、前記一定の間隔は、施工条件又は作業者の選択に応じて調整され得ることを、特徴とする。
【００２８】
前記第２垂直鉄線部２２０は、第１垂直鉄線部１２０に対応する位置に形成され、複数の第２水平鉄線部２１０に対して直角に形成され、複数の第２垂直鉄線２２１が一対をなして形成される鉄線部であり、第２水平鉄線部２１０と結合して格子状の第２金網部２００を形成し、第２水平鉄線部２１０に対して水平方向に複数形成されることを、特徴とする。
【００２９】
前記第２垂直鉄線部２２０は、水平方向に一定の間隔で複数形成され、前記一定の間隔は、施工条件又は作業者の選択に応じて複数の第２水平鉄線部２１０と同じ間隔に調整され得ることを、特徴とする。
【００３０】
前記第２水平鉄線部２１０と第２垂直鉄線部２２０とは、一定の間隔に調整された格子状に互いに結合されることを、特徴とする。前記第２水平鉄線部２１０と第２垂直鉄線部２２０とは、溶接接合を介して連結されて、第２金網部２００を形成することを特徴とする。
【００３１】
図３に示すように、前記第１金網部１００では、第１水平鉄線部１１０と第１垂直鉄線部１２０とが交差する位置で第１水平鉄線部１１０と第１垂直鉄線部１２０とが互いに溶接接合され、前記第２金網部２００では、第２水平鉄線部２１０と第２垂直鉄線部２２０が交差する位置で第２水平鉄線２１０と第２垂直鉄線部２２０とが互いに溶接接合されることを、特徴とする。
【００３２】
前記第１金網部１００の溶接接合の際、前記複数形成される第１水平鉄線部１１０の間隔と前記複数形成される第１垂直鉄線部１２０の間隔とは、ユーザが施工の現場又は施工構造物に応じて調整して格子状に形成させることを、特徴とする。前記第２金網部２００の溶接接合の際、前記複数形成される第２水平鉄線部２１０の間隔と前記複数形成される第２垂直鉄線部２２０の間隔とは、ユーザが施工の現場又は施工構造物に応じて調整して格子状に形成させることを、特徴とする。
【００３３】
前記第１金網部１００の溶接接合は、外部の溶接手段によって溶接されるもので、複数の第１水平鉄線部１１０が作業台に一定の間隔をもって複数置かれ、前記第１水平鉄線部１１０上に複数の第１垂直鉄線部１２０が一定の間隔に複数置かれ、複数の第１水平鉄線部１１０及び複数の第１垂直鉄線部１２０が、溶接手段の作動によって、同時に溶接されたり、それぞれ溶接されたりすることを、特徴とする。
【００３４】
ここで、第１水平鉄線部１１０と第１垂直鉄線部１２０とは、ユーザに応じて間隔調整されることを特徴とする。
【００３５】
また、第２金網部２００についても複数の第２水平鉄線部２１０が作業台に一定の間隔をもって複数置かれ、前記第２水平鉄線部２１０上に複数の第２垂直鉄線部２２０が一定の間隔に複数置かれ、複数の第２水平鉄線部２１０及び複数の第２垂直鉄線部２２０が、溶接手段の作動によって同時溶接されたり、それぞれ溶接されたりすることを、特徴とする。
【００３６】
ここで、第２水平鉄線部２１０と第２垂直鉄線部２２０とは、ユーザに応じて間隔調整されることを特徴とする。
【００３７】
複数の第１水平鉄線部１１０と複数の第２水平鉄線２１０との溶接接合の際に、上記の交差する位置に格子状の溝が形成され、前記鉄線トラス３００には、前記格子状の溝に挿入される複数の曲げ結束部３１０が形成されることを、特徴とする。鉄線トラス３００がジグザグ状に曲げられた部分が、曲げ結束部３１０となることを、特徴とする。
【００３８】
前記鉄線トラス３００に形成されたいずれか１つの曲げ結束部３１０は、第１金網部１００の第１水平鉄線部１１０と第１垂直鉄線部１２０とが交差する位置に形成された格子溝に挿入され、前記鉄線トラス３００に形成された他の曲げ結束部３１０は、第２金網部２００の第２水平鉄線２１０と第２垂直鉄線部２２０とが交差する位置に形成された格子溝に、挿入される。
【００３９】
上記のような方式により、鉄線トラス３００に形成された複数の曲げ結束部３１０は、格子溝に挿入される。
【００４０】
前記鉄線トラス３００に形成されたいずれか１つの曲げ結束部３１０と他の曲げ結束部３１０との間に形成される幅によって、第１金網部１００と第２金網部２００との連結後の壁体構造物１０の幅が決定されることを、特徴とする。
【００４１】
したがって、壁体構造物１０の幅は、鉄線トラス３００の一方側の曲げ結束部３１０と他方側の曲げ結束部３１０との間の幅を狭く整形したり、広く整形したりすることで調整される。
【００４２】
例えば、鉄線トラス３００の一方側の曲げ結束部３１０と他方側の曲げ結束部３１０との幅（水平距離）が１００ｍｍであると仮定すれば、壁体構造物１０の幅は、若干の誤差を勘案するとき、１００ｍｍ程度になり得る。
【００４３】
前記鉄線トラス３００の曲げ結束部３１０は、ユーザの使用条件又は施工条件などに応じて、曲げ角度を調整して整形できるが、曲げ角度を小さくして整形すれば、壁体構造物１０の構造的な強度が増加することになる。
【００４４】
なぜなら、曲げ角度を小さくして整形すれば、第１水平鉄線部１１０と第２水平鉄線部２１０との間隔が増加し、これは壁体構造物１０の構造的な強度が増加する結果を招く。
【００４５】
例えば、基本的に使用される曲げ結束部３１０の曲げ角度が４５°である場合、壁体構造物１０の構造は堅くなる。すなわち、壁体構造物１０が大きい荷重に耐えることができるようにするためには、曲げ結束部３１０の曲げ角度を４５°以下の角になるよう整形すればよい。
【００４６】
図４に示すように、第１水平鉄線部１１０と第１垂直鉄線部１２０との交差時に形成された格子溝と、第２水平鉄線２１０と第２垂直鉄線部２２０との交差時に形成された格子溝とに、鉄線トラス３００の曲げ結束部３１０が挿入された場合、曲げ結束部３１０の一部が突出して固定結束溝３２０が形成される。
【００４７】
ここで、前記固定鉄線４００は、前記固定結束溝３２０を貫通するように設けられる。
【００４８】
すなわち、前記固定結束溝３２０を貫通した固定鉄線４００により、第１金網部１００と第２金網部２００とは、接合手段なしに結合及び分離自在であることを、特徴とする。
【００４９】
前記図４（ａ）は、固定鉄線４００を挿入する前の状態を示すもので、第１水平鉄線部１１０と第１垂直鉄線部１２０との交差時に格子溝が形成され（図示せず）、第２水平鉄線部２１０と第２垂直鉄線部２２０の交差時に格子溝が形成される。
【００５０】
前記図４（ｂ）は、格子溝に鉄線トラス３００の曲げ結束部３１０が挿入されることで形成される固定結束溝３２０に、１つの長い固定鉄線４００が貫通挿入された状態を、示している。
【００５１】
すなわち、図４（ｂ）に示すように、水平方向に複数形成される固定結束溝３２０に１つの長い固定鉄線４００が貫通挿入され、１つの長い固定鉄線４００で複数の鉄線トラス３００が固定されることを、特徴とする。
【００５２】
前記図４（ｃ）は、格子溝に鉄線トラス３００の曲げ結束部３１０が挿入されることで形成される固定結束溝３２０に、短く形成された固定鉄線４００が貫通挿入された状態を、示している。
【００５３】
すなわち、図４（ｃ）に示すように、水平方向に複数形成される固定結束溝３２０に様々な短い固定鉄線４００がそれぞれ貫通挿入され、短い１つの固定鉄線４００で１つの鉄線トラス３００が固定されることを、特徴とする。
【００５４】
図３及び図４に示すように、前記壁体構造物１０は、第１金網部１００と第２金網部２００とが鉄線トラス３００と固定鉄線４００によって互いに固定結合されることを、特徴とする。
【００５５】
図５及び図６は、本発明の更なる実施形態を示すもので、鉄線トラス３００が水平方向に結束していることを特徴とする。
【００５６】
鉄線トラス３００は、第１金網部１００と第２金網部２００に対して水平に設けられる。施工の現場の条件又はユーザの選択に応じて、本発明の鉄線トラス３００は垂直方向に設けられたり、前記図５及び図６に示すように、鉄線トラス３００が水平方向に設けられたりすることを、特徴とする。
【００５７】
この場合、前記鉄線トラス３００が水平方向に設けられることで、固定鉄線４００は、垂直方向に固定結合溝３２０へ貫通挿入されることを特徴とする。
【００５８】
図６に示すように、複数の第１垂直鉄線部１２０と第１水平鉄線部１１０とが一定の離隔をもって格子状に溶接接合されることで、第１金網部１００が形成される。複数の第２垂直鉄線部２２０と第２水平鉄線部２１０とが一定の離隔をもって格子状に溶接接合されることで、第２金網部２００が形成される。
【００５９】
前記第１金網部１００と第２金網部２００とに形成される格子溝に金網トラスの曲げ結束部３１０が水平方向に挿入され、前記曲げ結束部３１０の挿入時に形成される固定結束溝３２０に固定鉄線４００が垂直方向に貫通挿入されることを、特徴とする。
【００６０】
図７に示すように、前記壁体構造物１０は、鉄網部継ぎピン５００をさらに備え、前記鉄網部継ぎピン５００は、壁体構造物１０が上部に積層されたり側部に延長されたりするときに、これら壁体構造物１０の間を連結固定するために形成されることを、特徴とする。
【００６１】
前記鉄網部継ぎピン５００は、壁体構造物１０を上部に積層又は側部に延長する場合、壁体構造物１０の間を固定するために形成されたもので、前記鉄網部継ぎピン５００は、ユーザの選択又は施工条件など応じて複数設けられることを、特徴とする。
【００６２】
壁体構造物１０を上部に積層するとき、前記鉄網部継ぎピン５００は、第１水平鉄線部１１０の間又は第２水平鉄線部２１０の間に固定結合され、側部に延長するとき、第１垂直鉄線部１２０の間又は第２垂直鉄線部２２０の間に固定結合されることを特徴とする。
【００６３】
以上、本発明に対する技術的な思想を添付の図面に基づいて説明したが、これは本発明の好適な実施形態を例示的に説明したものであり、本発明を限定するものではない。また、技術分野の通常の知識を有する者であれば、誰でも本発明の技術的な思想の範疇を離脱しない範囲内で様々な変形及び模倣が可能であることは明らかである。
【図１】
2019525036.tif 000003
【図２】
2019525036.tif 000004
【図３】
2019525036.tif 000005
【図４】
2019525036.tif 000006
【図５】
2019525036.tif 000007
【図６】
2019525036.tif 000008
【図７】
2019525036.tif 000009
【国際調査報告】
2019525036.tif 000010
2019525036.tif 000011
2019525036.tif 000012
2019525036.tif 000013